(57)【要約】【課題】  本発明は、LED駆動装置を蛍光灯型LEDランプ本体の外部に装着させることによって、LED駆動装置の作動時に発生する熱による影響を最小化することができる温度調節機能を有する蛍光灯型LEDランプを提供する。【解決手段】  本発明は、LED素子にDC電源を供給するLED駆動装置の外側に温度調節部材を備え、LED駆動装置の装置内部または装置外部の温度により、発熱または吸熱機能をなすことによって、LED駆動装置の装置内部温度または装置外部温度を上昇または下降させることができる。【選択図】      図1
2010040496.tif 000002
【特許請求の範囲】
【請求項１】
LED素子を光源として使用する蛍光灯型LEDランプにおいて、
上記LED素子が一定間隔で固定配列され、複数のAC電源供給端子および複数のDC電源供給端子が備えられた回路基板と、
上記回路基板がその下部に取付固定され、複数のAC電源供給端子および複数のDC電源供給端子が外部に露出するように結合孔が形成された上部カバーと、
上記複数のAC電源供給端子および複数のDC電源供給端子を通じて供給されるAC電源をDC電源に変換し、上記LED素子に出力して、装置内の温度を感知し、温度調節信号を出力するLED駆動装置と、
上記LED駆動装置の側端部に結合部材によって結合し、LED駆動装置の温度調節信号に応じて発熱または吸熱し、上記LED駆動装置の周辺温度を上昇または下降させて調節する温度調節部と、
上記回路基板の上側に備えられ、上記上部カバーに結合して上記LED素子から放出された光を拡散する拡散カバーと、
結合した上記拡散カバーと上記上部カバーの両端にはめ込まれて結合し、商用電源を上記AC電源供給端子に供給させるAC電源供給ラインが備えられた電気接続部と、
上記電気接続部の上部に結合して、上記電気接続部と電気的に接続される一対の端子ピンが備えられており、上記電気接続部を外部環境から分離させる端子部を含み、
上記LED駆動装置は上記上部カバーに装着脱可能に結合することを特徴とする温度調節機能を有する蛍光灯型LEDランプ。
【請求項２】
上記LED駆動装置は、
上記上部カバーのAC電源供給端子および複数のDC電源供給端子が挿入結合するACコネクタおよびDCコネクタと、
上記ACコネクタを通じて供給されるAC電源をDC電源に変換し、上記DCコネクタを通じて上記回路基板のDC電源供給端子に出力する電源変換部と、
装置内の温度を測定する温度センサと、
上記温度センサから入力される温度をセットされている基準温度と比較して温度調節信号を出力する制御部と、
を含むことを特徴とする請求項1に記載の温度調節機能を有する蛍光灯型LEDランプ。
【請求項３】
上記制御部は、
上記温度センサから入力される温度をセットされている基準温度と比較し、比較の結果、入力された温度より基準温度が高い場合、セットされている＋−電源供給ラインを通じて＋−電源を上記温度調節部に出力させ、比較の結果、入力された温度より基準温度が低い場合、上記＋−電源供給ラインを通じて−＋電源を温度調節部に出力させることを特徴とする請求項1、または2に記載の温度調節機能を有する蛍光灯型LEDランプ。
【請求項４】
上記制御部は、
上記温度センサによって温度が感知されない場合、エラー表示制御信号を出力することを特徴とし、
上記LED駆動装置は、
上記制御部のエラー表示制御信号に応じて点灯し、上記LED駆動装置の外部に備えられている表示部をさらに含むことを特徴とする請求項3に記載の温度調節機能を有する蛍光灯型LEDランプ。
【請求項５】
上記温度調節部は、
2層構造からなる熱電素子であることを特徴とする請求項1に記載の温度調節機能を有する蛍光灯型LEDランプ。
【請求項６】
上記蛍光灯型LEDランプは、
上記LED駆動装置の両側面に所定間隔で離隔された状態で、結合部材によって上記上部カバーに結合する放熱部材をさらに含むことを特徴とする請求項1に記載の温度調節機能を有する蛍光灯型LEDランプ。
【請求項７】
上記温度調節部は側端部に放熱部材をさらに備えることを特徴とする請求項1に記載の温度調節機能を有する蛍光灯型LEDランプ。
【請求項８】
上記放熱部材は、
複数の放熱ピンが形成されたことを特徴とする請求項6、または7に記載の温度調節機能を有する蛍光灯型LEDランプ。
【請求項９】
上記放熱ピンが形成された放熱部材は、半円筒状であることを特徴とする請求項6に記載の温度調節機能を有する蛍光灯型LEDランプ。
【請求項１０】
上記上部カバーは、「H」形状であることを特徴とする請求項1に記載の温度調節機能を有する蛍光灯型LEDランプ。
【請求項１１】
上記上部カバーには、上記AC電源供給端子またはDC電源供給端子が外部に露出するように結合孔が形成されており、上記AC電源供給端子またはDC電源供給端子と上記結合孔の間に防水部材が備えられていることを特徴とする請求項1に記載の温度調節機能を有する蛍光灯型LEDランプ。
【請求項１２】
上記回路基板は、上部カバーの両側端部から所定間隔で離隔された状態で備えられ、上記電気接続部のAC電源供給ラインは上記回路基板と上部カバーの間に形成された空間の内側に備えられることを特徴とする請求項1に記載の温度調節機能を有する蛍光灯型LEDランプ。
【請求項１３】
上記防水部材は、絶縁材質であることを特徴とする請求項12に記載の温度調節機能を有する蛍光灯型LEDランプ。
【請求項１４】
上記上部カバーと上記拡散カバーとの結合面に防水部材が備えられていることを特徴とする請求項1に記載の温度調節機能を有する蛍光灯型LEDランプ。
【請求項１５】
上記回路基板に固定配列されたLED素子の離隔間隔は、
LED素子の光放出角度によって、一定個数のLED素子から放出される光が重畳するように決定されることを特徴とする請求項1に記載の温度調節機能を有する蛍光灯型LEDランプ。
【請求項１６】
上記拡散カバーはその内側に上記LED素子から放出される光が重畳するように位置することを特徴とする請求項1に記載の温度調節機能を有する蛍光灯型LEDランプ。
【発明の詳細な説明】
【技術分野】
【０００１】
本発明は、温度調節機能を有する蛍光灯型LEDランプに関するものである。より詳細にはLED駆動装置を蛍光灯型LEDランプ本体の外部に装着させることによって、LED駆動装置の作動時に発生する熱による影響を最小化することができる温度調節機能を有する蛍光灯型LEDランプに関するものである。
【背景技術】
【０００２】
蛍光灯は、一般のスーパーや電気屋で手軽に購入できるだけでなく、価格も安価で設置方法が容易であるため、老若男女を問わず、誰でも設置が可能であり、看板業界だけでなく全照明業界で最も長い間、最も多く使用されてきた光源である。
【０００３】
しかし、蛍光灯の場合、黒点現象、短寿命などで交換が多く、色、形態などデザイン表現に限界があり、蛍光物質を使用するために、環境問題を重要視する照明市場の流れに反するため、次第に他光源に代替されている傾向にある。他光源として最も注目されているのはLED(LED,Light  Emitting  Diode)素子であり、これは1962年GaAsP化合物半導体を利用した赤色LED素子が商品化されたことをはじめとして、GaP:N系の緑色LED素子とともに今まで情報通信機器をはじめとする電子装置の表示用光源として用いられてきた。
【０００４】
また、1990年代中盤以降、GaN青色LED素子が開発され、天然色ディスプレイが製造可能になった。
【０００５】
代表的な利用分野としては、携帯電話の液晶表示素子やキーパッド用バックライトがあげられるが、これ以外にも屋外用大型電光掲示板、交通信号灯器、自動車の計器盤および尾灯、港湾、空港、高層ビルディングの警告灯および誘導灯など、多様なところに使用されている。
【０００６】
また、LED素子は、半導体の迅速な処理速度と低い電力消耗などの長所とともに、環境にやさしくて省エネルギー効果が高いため、次世代国家戦略品目として注目されている。
【０００７】
また、LED素子の長所は、既存の光源に比べて極小型であり、消費電力が低く、寿命が既存の電球に比べて10倍以上であり、反応速度が速く、既存の光源に比べて非常に優れた特性を有している。また、紫外線のような有害波の放出がなく、水銀およびその他放電用ガスを使用しない環境問題を考慮した光源である。
【０００８】
しかし、LED素子はエネルギーが光の形態だけでなく、熱の形態でも放出されるため、高温になりやすい特性を有する。高温を冷却させるためにLEDランプの外部に通孔を構成する形態のランプが一部あるが、通孔を通じて流入した埃やその他害虫などによって、LED素子ランプの効率が著しく減少する。また、放熱による高温のためLEDの寿命が減少するため、LEDの発熱を冷却させるための研究は持続的に行われている。
【０００９】
また、LED素子の光は直進性があり、LED素子の真下は非常に明るいが、周辺は暗い。したがって、一般ランプとして使用するためにはLED素子の直進性が強い光を拡散させることができる別途の装置が必要である。
【発明の開示】
【発明が解決しようとする課題】
【００１０】
これにより、本発明は、従来技術の問題点を解消し、必要性により案出されたもので、本発明は、LED駆動装置を蛍光灯型LEDランプ本体の外部に装着させることによって、LED駆動装置の作動時に発生する熱による影響を最小化することができる温度調節機能を有する蛍光灯型LEDランプを提供することを目的とする。
【００１１】
また、本発明は、LED素子にDC電源を供給するLED駆動装置の外側に温度調節部材を備え、LED駆動装置の装置内部または装置外部の温度により発熱または吸熱機能をなすことによって、LED駆動装置の装置内部温度または装置外部温度を上昇または下降させることができる温度調節機能を有する蛍光灯型LEDランプを提供することを目的とする。
【００１２】
また、本発明は、温度調節部材の外側に放熱部材をさらに備え、温度調節部材による温度上昇または温度下降機能がさらに効率的に行われるようにする温度調節機能を有する蛍光灯型LEDランプを提供することを目的とする。
【００１３】
また、本発明は、光源として使用するLED素子を外部から隔離させることができるカバーを拡散物質が含まれた材質からなる部材を用いて製作することによって、別途の拡散板または拡散フィルムを備えなくても、LED素子から放出される光がスムーズに拡散してLED素子の残像などを未然に除去できる温度調節機能を有する蛍光灯型LEDランプを提供することを目的とする。
【課題を解決するための手段】
【００１４】
上記目的を達成するために、本発明の実施例は、LED素子を光源として使用する蛍光灯型LEDランプにおいて、上記LED素子が一定間隔で固定配列され、複数のAC電源供給端子および複数のDC電源供給端子が備えられた回路基板と、上記回路基板がその下部に取付固定され、複数のAC電源供給端子および複数のDC電源供給端子が外部に露出するように結合孔が形成された上部カバーと、上記複数のAC電源供給端子および複数のDC電源供給端子を通じて供給されるAC電源をDC電源に変換して上記LED素子に出力し、装置内の温度を感知して温度調節信号を出力するLED駆動装置と、上記LED駆動装置の側端部に結合部材によって結合し、LED駆動装置の温度調節信号に応じて発熱または吸熱し、上記LED駆動装置の周辺温度を上昇または下降させて調節する温度調節部と、上記回路基板の上側に備えられ、上記上部カバーに結合して上記LEDから放出された光を拡散する拡散カバーと、結合した上記拡散カバーと上記上部カバーの両端にはめ込まれて結合し、商用電源を上記AC電源供給端子に供給させるAC電源供給ラインが備えられた電気接続部と、上記電気接続部の上部に結合して上記電気接続部と電気的に接続される一対の端子ピンが備えられており、上記電気接続部を外部環境から分離させる端子部とを含み、上記LED駆動装置は上記上部カバーに装着脱可能に結合することを特徴とする。
【発明の効果】
【００１５】
したがって本発明は、LED駆動装置を蛍光灯型LEDランプ本体の外部に装着させることによって、LED駆動装置の作動時に発生する熱による影響を最小化することができるという効果がある。
【００１６】
また、本発明は、LED素子にDC電源を供給するLED駆動装置の外側に温度調節部材を備え、LED駆動装置の装置内部または装置外部の温度により、発熱または吸熱機能をなすことによって、LED駆動装置の装置内部温度または装置外部温度を上昇または下降させることができるという効果がある。
【００１７】
また、本発明は、温度調節部材の外側に放熱部材をさらに備え、温度調節部材による温度上昇または温度下降機能がさらに効率的に行われるという効果がある。
【００１８】
また、本発明は、光源として使用するLED素子を外部から隔離可能なカバーを拡散物質が含まれた材質からなる部材を用いて製作することによって、別途の拡散板または拡散フィルムを備えなくても、LED素子から放出される光がスムーズに拡散してLED素子の残像などを未然に除去できるという効果がある。
【発明を実施するための最良の形態】
【００１９】
以下、本発明の一実施例を添付図面により詳しく説明する。ただし、本発明は本実施例に限定されるものではない。
【００２０】
本発明が適用された蛍光灯型LEDランプは、上部カバー20に拡散カバー30を結合させ、半円筒形状を有し、LED駆動装置が物理的力によって上部カバー20に装着または脱着可能に備える一方、上部カバー20の上部に半円筒状の放熱部材を備え、蛍光灯型LEDランプの両端部がチューブ形状を有するように製作される。
【００２１】
本発明が適用された蛍光灯型LEDランプは、従来の蛍光灯と同一の形状を有し、既に設置されている蛍光灯の接続端子に、本発明が適用された蛍光灯型LEDランプ100の端子ピン51、52を結合させることによって、従来の蛍光灯の設置方式と同一の方式で設置することができる。
【００２２】
上記温度調節機能を有する蛍光灯型LEDランプについて、図1ないし図6を参照して説明する。
【００２３】
図1は、本発明が適用された温度調節機能を有する蛍光灯型LEDランプの分解斜視図である。図1に示すように、LED素子を光源として使用する温度調節機能を有する蛍光灯型LEDランプ100は、LED素子11が一定間隔で固定配列され、複数のAC電源供給端子12、13および複数のDC電源供給端子14、15が備えられた回路基板10と、回路基板10がその下部に取付固定され、複数のAC電源供給端子12、13および複数のDC電源供給端子14、15が外部に露出するように結合孔25が形成された上部カバー20と、上記複数のAC電源供給端子12、13および複数のDC電源供給端子14、15を通じて供給されるAC電源をDC電源に変換してLED素子11に出力し、装置内の温度を感知して温度調節信号を出力するLED駆動装置60と、LED駆動装置60の側端部に結合部材によって結合し、LED駆動装置60の温度調節信号に応じて発熱または吸熱し、LED駆動装置60の周辺温度を上昇または下降させて調節する温度調節部90と、回路基板10の上側に備えられ、上部カバー20に結合してLED素子11から放出された光を拡散する拡散カバー30と、結合した拡散カバー30と上部カバー20の両端にはめ込まれて結合し、商用電源をAC電源供給端子12、13に供給させるAC電源供給ライン41が備えられた電気接続部40と、電気接続部40の上部に結合して電気接続部40と電気的に接続される一対の端子ピン51、52が備えられており、電気接続部40を外部環境から分離させる端子部50と、上記LED駆動装置の両側面に所定間隔で離隔された状態で、結合部材によって上記上部カバーに結合する放熱部材70とで構成される。
【００２４】
LED駆動装置60は、上部カバー20に装着脱可能に結合することを特徴とする。LED駆動装置60は、上部カバー20のAC電源供給端子12、13および複数のDC電源供給端子14、15が挿入結合するACコネクタ61、62およびDCコネクタ63、64と、ACコネクタ61、62を通じて供給されるAC電源をDC電源に変換し、DCコネクタ63、64を通じて回路基板10のDC電源供給端子14、15に出力する電源変換部65と、装置内の温度を測定する温度センサ66と、温度センサ66から入力される温度をセットされている基準温度と比較し、温度調節信号を出力する制御部67とで構成される。
【００２５】
制御部67は、上記温度センサから入力される温度をセットされている基準温度と比較し、比較の結果、入力された温度より基準温度が高い場合、セットされている＋−電源供給ラインを通じて＋−電源を温度調節部90に出力させ、比較の結果、入力された温度より基準温度が低い場合、上記＋−電源供給ラインを通じて−＋電源を温度調節部90に出力させる。
【００２６】
制御部67は、温度センサ66により温度が感知されない場合、エラー表示制御信号を出力し、LED駆動装置60は、制御部67のエラー表示制御信号に応じて点灯し、LED駆動装置60の外部に備えられる表示部68をさらに含む。このとき、表示部68はLED素子である。
【００２７】
温度調節部90は、2層構造からなる熱電素子であり、上記熱電素子は、電流を加えると吸熱部は周辺の熱を吸収し、発熱部は熱を放出するように動作する半導体素子であり、熱電素子に吸熱板と放熱板を取り付けて効率が優れた熱電素子ユニットが持続的に開発されており、上記熱電素子ユニットは、低電力で使用可能であり、全く騒音もなく作動し、フレオンガスを使用しない次世代冷却方式である。一方、熱電素子に供給される電源は、直流電流で＋−を換えると、発熱部と吸熱部が互いに反対の機能をなして加熱装置に変化する。本発明では、熱電素子のこのような特性を利用して、LED駆動装置60の内部温度が常に一定温度を維持できるようにする。
【００２８】
温度調節部90の側端部に放熱部材95がさらに備えられ、本発明に適用される放熱部材70、95は、複数の放熱ピン71、96が形成されている。
【００２９】
放熱ピン71が形成された放熱部材70は半円筒形状である。
【００３０】
上部カバー20は、「H」形状である。
【００３１】
AC電源供給端子12、13またはDC電源供給端子14、15と結合孔25の間に防水部材26が備えられ、防水部材26はオーリング形状であり、絶縁材質からなる。
【００３２】
回路基板10は、上部カバー20の両側端部から所定間隔で離隔された状態で備えられ、電気接続部40のAC電源供給ライン41は、回路基板10と上部カバー20の間に形成された空間の内側に位置する。
【００３３】
上部カバー20と拡散カバー30の結合面に防水部材80が備えられ、このとき、防水部材80は防水テープである。
【００３４】
回路基板10に固定配列されたLED素子11の離隔間隔は、LED素子11の光放出角度によって一定個数のLED素子11から放出される光が重畳するように決定される。
【００３５】
拡散カバー30は、その内側にLED素子11から放出される光が重畳するように位置することが望ましい。拡散カバー30は、拡散物質を含有している材質であることが望ましい。
【００３６】
LED素子11を光源として使用する蛍光灯型LEDランプの作動電圧は100〜240Vである。
【００３７】
上記のように構成された温度調節機能を有する蛍光灯型LEDランプの作用について説明する。
【００３８】
複数個のLED素子11が所定間隔で離隔配列された回路基板10のAC電源供給端子12、13およびDC電源供給端子14、15が、上部カバー20に形成された結合孔25を通じて外部に露出された状態で、回路基板10が上部カバー20に結合さするようにする。このとき、結合方式はねじなどのような固定部材を用いても、接着剤などのような接着部材を用いても良い。
【００３９】
このとき、LED素子11から放出される光の重畳地点が拡散カバー30の内側に位置するように回路基板10が拡散カバー30と離隔された状態で上部カバー20に結合し、光の重畳地点までの距離dは、回路基板10の厚さを調節することによって調節可能である。
【００４０】
上記のように、複数のLED素子11間の離隔間隔および回路基板10から拡散カバー30の中心点までの距離を光の重畳および重畳した距離を利用して決定することによって、LED素子11が点灯する場合、拡散カバー30の外部面にLED素子11の形状や残像が現れなくなる。
【００４１】
前述したように、上部カバー20に回路基板10を結合させた後、拡散カバー30を上部カバー20の下端部から加圧によって結合させる。このとき、上部カバー20と拡散カバー30とを結合させる前に、上部カバー20と拡散カバー30が密着する面に防水テープ80を貼着させ、内側に蒸気などのような水分が浸透しないようにする。
【００４２】
この結合過程の場合、生産工程時には、別途に形成された結合ジグにより行われる。
【００４３】
上記のように、上部カバー20と拡散カバー30とを結合させた後、上部カバー20の両端部に半円筒状の放熱部材70を接着剤などのような接着部材を用いて貼着させる。これにより、両端部は一般的な蛍光灯のようにチューブ形態の円筒形状を有するようになる。
【００４４】
放熱部材70を上部カバー20に取り付けた後、放熱部材70と拡散カバー30の結合によって形成されたチューブ形態の両先端に電気接続部40をまずはめ込み、電気接続部40の上部に端子部50をかぶせて電気接続部40を外部環境から隔離させる。このとき、端子部50には、電気接続部40と電気的に結合して商用電源が供給され、電気接続部40のAC電源供給ライン41およびAC電源供給端子12、13を通じてLED駆動装置60に供給するための端子ピン51、52が備えられる。
【００４５】
LED駆動装置60は、図5に示すように、ACコネクタ61を通じて入力されるAC電源を電源変換部65に出力し、電源変換部65は、上記AC電源をLED素子11を点灯させることができるDC電源に変換し、DC電源供給端子14、15を通じてLED素子11に供給され、点灯させる。このとき、図5の図面上には、概念上、ACコネクタとDCコネクタに対して各々図面の符号61、63と表記したが、実際に2つのACコネクタと2つのDCコネクタが備えられており、これは、図1に示している。
【００４６】
一方、LED駆動装置60は、温度センサ66をさらに備えており、温度センサ66は、図示したように、LED駆動装置60の内部に備えることも可能であり、図示を省略したが、外部に備えることも可能である。温度センサ66は、LED駆動装置60の内部温度または外部温度を測定して制御部67に出力する。
【００４７】
制御部67は、図6に示したように、温度センサ66から入力される温度値が存在するかを判断(S100)し、判断の結果、温度値が入力される場合、入力された温度値を比較温度値として基準温度値と比較(S110)する。
【００４８】
上記比較の結果、比較温度値が基準温度値より低い場合(S120)の例、制御部67はLED駆動装置60の内部温度または外部温度が基準温度より低いと判断し、温度調節部90の熱電素子に接続した＋電源供給ラインおよび−電源供給ラインに各々＋電源および−電源を供給させる。したがって、熱電素子からなる温度調節部90は、装置の内部または外部温度が低いと判断し、内部温度または外部温度がセットされている基準温度まで上昇するように熱電素子からなる温度調節部90がヒーターとして動作してLED駆動装置60の内部温度または外部温度は上昇する(S130)。
【００４９】
もし、上記(S120)過程の判断の結果、比較温度値が基準温度値より低くない場合、制御部67は、比較温度値が基準温度値より高いかを判断(S140)し、判断の結果、比較温度値が基準温度値より高い場合、上記＋電源供給ラインおよび−電源供給ラインに各々入力されるDC電源を＋、−の極性を変更して＋電源供給ラインには、−電源を供給させ、−電源供給ラインには、＋電源を供給させ、熱電素子の場合、冷却装置で駆動されるようにする(S150)。
【００５０】
もし、上記(S140)過程の判断の結果、比較温度値が基準温度値と同じである場合、制御部67は熱電素子の温度調節部90に供給される電源を遮断して熱電素子が駆動しないようにする。
【００５１】
そして、制御部67は、上記(S100)段階で温度センサ66から入力される信号がない場合、表示部68を点灯(S160)させて管理者らが容易に知るようにする。
【００５２】
このとき、放熱部材70および拡散カバー30が密着する電気接続部40の外側面には図示を省略したが、防水テープが貼着しているため、電気接続部40が放熱部材70および拡散カバー30にさらに密着結合し、空気中にある水分が浸透しないようにする。
【図面の簡単な説明】
【００５３】
【図１】本発明の一実施例による温度調節機能を有する蛍光灯型LEDランプの斜視図である。
【図２】本発明の一実施例による温度調節機能を有する蛍光灯型LEDランプの正断面図である。
【図３】本発明の一実施例による温度調節機能を有する蛍光灯型LEDランプの側断面図である。
【図４】図1に適用されたLED駆動装置に放熱部材が備えられた状態を示した図である。
【図５】LED素子から放出される光の重畳地点を説明するための図である。
【図６】本発明の一実施例による蛍光灯型LEDランプ制御システムを説明するためのブロック図である。
【図７】図5および図6に適用されたLED駆動装置の構成を説明するための流れ図である。
【符号の説明】
【００５４】
10      回路基板
11      LED素子
12、13  AC電源供給端子
14、15  DC電源供給端子
20      上部カバー
25      結合孔
30      拡散カバー
40      電気接続部
41      AC電源供給ライン
50      端子部
51、52  端子ピン
60      LED駆動装置
61、62  ACコネクタ
63、64  DCコネクタ
66      温度センサ
67      制御部
70      放熱部材
80      放水部材
90      温度調節部
100    蛍光灯型LEDランプ
【図１】
2010040496.tif 000003
【図２】
2010040496.tif 000004
【図３】
2010040496.tif 000005
【図４】
2010040496.tif 000006
【図５】
2010040496.tif 000007
【図６】
2010040496.tif 000008
【図７】
2010040496.tif 000009